(57)【要約】【課題】傾き調整を容易にする。【解決手段】放電灯点灯用であってこれを筐体１０内に収納する器具本体１と、天井から吊下げられる可撓性の線状材２と、この線状材の下端に連結される係止部材とを備えた。天井と対向する筐体１０の壁面１００には、この壁面１００の中心を当該器具本体１の重心が移動する方向へ横切るように、係止部材よりも小さい線状材挿通孔１０１がこれよりも小さいスリット１０２を介して互いに連通した状態で複数設けられているとともに、これら線状材挿通孔１０１の端でこれらとその線状材挿通孔１０１よりも小さいスリット１０３を介して互いに連通した状態で係止部材よりも大きい係止部材挿通孔１０４が設けられている。【選択図】　図１
2004055305.tif 000002
【特許請求の範囲】
【請求項１】
放電灯点灯用であってこれを筐体内に収納する器具本体と、天井から吊下げられる少なくとも１本の可撓性の線状材と、この線状材の下端に連結される係止部材とを備え、前記天井と対向する前記筐体の壁面には、この壁面の中心を当該器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられていることを特徴とする吊下げ式照明器具。
【請求項２】
放電灯点灯用であってこれを筐体内に収納する器具本体と、天井から吊下げられる少なくとも１本の可撓性の線状材と、この線状材の下端に連結される係止部材と、前記筐体内に収納される板材とを備え、前記天井と対向する前記筐体の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられていることを特徴とする吊下げ式照明器具。
【請求項３】
前記板材は、前記線状材挿通孔の位置でく字状に屈曲し、このく字状の当該板材部分で前記筐体の壁面に設けられた係止部材挿通孔に填り込むことを特徴とする請求項２記載の吊下げ式照明器具。
【請求項４】
前記板材は、前記線状材挿通孔の位置でＵ字状に屈曲し、このＵ字状の当該板材部分で前記筐体の壁面に設けられた係止部材挿通孔に填り込むことを特徴とする請求項２記載の吊下げ式照明器具。
【請求項５】
前記筐体の壁面には少なくとも１つのねじ挿通孔が穿設されている一方、前記板材には前記ねじ挿通孔に対応するねじ孔が穿設され、前記板材は、前記ねじ挿通孔にねじを挿通して前記ねじ孔で螺着することにより前記筐体にねじ止めされることを特徴とする請求項２から４のいずれかに記載の吊下げ式照明器具。
【請求項６】
前記ねじ挿通孔は長円状に形成されていることを特徴とする請求項５記載の吊下げ式照明器具。
【請求項７】
前記放電灯は直管形の蛍光灯であり、前記筐体は、前記放電灯の軸方向に沿って伸びる形状に形成されていることを特徴とする請求項１から６のいずれかに記載の吊下げ式照明器具。
【請求項８】
前記線状材は、前記筐体の幅方向に各１本設けられ、前記筐体の軸方向に複数本設けられることを特徴とする請求項７記載の吊下げ式照明器具。
【請求項９】
放電灯点灯用であってこれを筐体内に収納する器具本体と、天井から吊下げられる少なくとも１本の可撓性の線状材と、この線状材の下端に連結される係止部材と、前記器具本体を他の器具本体に連結するための連結吊部材とを備え、前記天井と対向する前記連結吊部材の壁面には、この壁面の中心を当該連結吊部材に連結された器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられていることを特徴とする吊下げ式照明器具。
【請求項１０】
放電灯点灯用であってこれを筐体内に収納する器具本体と、天井から吊下げられる少なくとも１本の可撓性の線状材と、この線状材の下端に連結される係止部材と、前記筐体内に収納される板材と、前記器具本体を他の器具本体に連結するための連結吊部材とを備え、前記天井と対向する前記連結吊部材の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられていることを特徴とする吊下げ式照明器具。
【発明の詳細な説明】
【０００１】
【発明の属する技術分野】
本発明は、天井面から吊り下げられる吊下げ式照明器具に関するものである。
【０００２】
【従来の技術】
図１５は従来の吊下げ式照明器具の外観図、図１６は同吊下げ式照明器具の一部拡大図、図１７は同吊下げ式照明器具の傾き調整の説明図である。ただし、図１５には、吊下げ式照明器具が２組図示されている。
【０００３】
図１５〜図１７に示す従来の吊下げ式照明器具は、器具本体１Ｘがワイヤなどの線状材２およびこの下端に連結される係止部材３を介して天井から吊り下げられるようになっている。
【０００４】
この構成では、器具本体１Ｘの幅方向に１本の線状材２しか使用されていないために、器具本体１Ｘが傾く場合があり、この場合、バランサ９を器具本体１Ｘの内部に固定するなどして、傾きが無いように調整していた。
【０００５】
あるいは、図１８に示すように、線状材２および係止部材３を幅方向に２組用いて器具本体１Ｙを天井から吊り下げたり、図１９に示すように、二股の線状材２Ａおよびこの両端に連結される係止部材３を幅方向に１組用いて器具本体１Ｙを天井から吊り下げることにより、傾きが無いようにしていた。
【０００６】
【発明が解決しようとする課題】
しかしながら、図１８，図１９に示す従来の吊下げ式照明器具では、幅方向における線状材の本数が多いために、全体としての本数が勢い多くなり、見栄えが悪くなるという問題があった。
【０００７】
また、図１７に示す吊下げ式照明器具では、バランサ９を用いて傾きが無いように調整する作業がかなり手間であった。なお、図１６における線状材２の下端に連結された係止部材３の係止構造では、その係止部材３を係止する専用の構造になっているために、他の吊具を共用することができない。
【０００８】
本発明は、上記事情に鑑みてなされたものであり、傾き調整が容易な吊下げ式照明器具を提供することを目的とする。
【０００９】
【課題を解決するための手段】
上記課題を解決するための請求項１記載の発明の吊下げ式照明器具は、放電灯点灯用であってこれを筐体内に収納する器具本体と、天井から吊下げられる少なくとも１本の可撓性の線状材と、この線状材の下端に連結される係止部材とを備え、前記天井と対向する前記筐体の壁面には、この壁面の中心を当該器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられていることを特徴とする。
【００１０】
請求項２記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記筐体内に収納される板材とを備え、前記天井と対向する前記筐体の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられていることを特徴とする。
【００１１】
請求項３記載の発明は、請求項２記載の吊下げ式照明器具において、前記板材は、前記線状材挿通孔の位置でく字状に屈曲し、このく字状の当該板材部分で前記筐体の壁面に設けられた係止部材挿通孔に填り込むことを特徴とする。
【００１２】
請求項４記載の発明は、請求項２記載の吊下げ式照明器具において、前記板材は、前記線状材挿通孔の位置でＵ字状に屈曲し、このＵ字状の当該板材部分で前記筐体の壁面に設けられた係止部材挿通孔に填り込むことを特徴とする。
【００１３】
請求項５記載の発明は、請求項２から４のいずれかに記載の吊下げ式照明器具において、前記筐体の壁面には少なくとも１つのねじ挿通孔が穿設されている一方、前記板材には前記ねじ挿通孔に対応するねじ孔が穿設され、前記板材は、前記ねじ挿通孔にねじを挿通して前記ねじ孔で螺着することにより前記筐体にねじ止めされることを特徴とする。
【００１４】
請求項６記載の発明は、請求項５記載の吊下げ式照明器具において、前記ねじ挿通孔は長円状に形成されていることを特徴とする。
【００１５】
請求項７記載の発明は、請求項１から６のいずれかに記載の吊下げ式照明器具において、前記放電灯は直管形の蛍光灯であり、前記筐体は、前記放電灯の軸方向に沿って伸びる形状に形成されていることを特徴とする。
【００１６】
請求項８記載の発明は、請求項７記載の吊下げ式照明器具において、前記線状材は、前記筐体の幅方向に各１本設けられ、前記筐体の軸方向に複数本設けられることを特徴とする。
【００１７】
請求項９記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記器具本体を他の器具本体に連結するための連結吊部材とを備え、前記天井と対向する前記連結吊部材の壁面には、この壁面の中心を当該連結吊部材に連結された器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられていることを特徴とする。
【００１８】
請求項１０記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記筐体内に収納される板材と、前記器具本体を他の器具本体に連結するための連結吊部材とを備え、前記天井と対向する前記連結吊部材の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられていることを特徴とする。
【００１９】
【発明の実施の形態】
（第１実施形態）
図１は本発明に係る第１実施形態の吊下げ式照明器具の一部を示す斜視図、図２は同吊下げ式照明器具の線状材および係止部材を示す図、図３は同吊下げ式照明器具の傾き調整の説明図である。
【００２０】
第１実施形態の吊下げ式照明器具は、図１〜図３に示すように、放電灯点灯用の器具本体１と、図外の天井から吊下げられる可撓性の線状材（例えばワイヤ）２と、この線状材２の下端に連結される球状の係止部材３とを備えている。
【００２１】
器具本体１は、一の方向（図３では紙面に対して垂直方向）に伸びる断面コ字状の筐体１０を備え、放電灯としての直管形の蛍光灯１１、反射板１２および安定器（図示せず）などを筐体１０内に収納している。
【００２２】
ここで、筐体１０が蛍光灯１１の軸方向に沿って伸びる形状に形成されているため、下端に係止部材３が連結される線状材２は、筐体１０の幅方向に各１本設けられ、筐体１０の軸方向に複数本設けられる。
【００２３】
そして、第１実施形態の特徴として、天井と対向する筐体１０の壁面１００には、この壁面１００の中心を当該器具本体１の重心が移動する方向へ横切るように、係止部材３よりも小さい円状の線状材挿通孔１０１がこれよりも小さいスリット１０２を介して互いに連通した状態で複数設けられているとともに、これら複数の線状材挿通孔１０１の端でこれらとその線状材挿通孔１０１よりも小さいスリット１０３を介して互いに連通した状態で係止部材３よりも大きい円状の係止部材挿通孔１０４が設けられている。
【００２４】
このように連通する線状材挿通孔１０１を設けることにより、球状の係止部材３を中央の線状材挿通孔１０１に嵌合したときに、図３（ａ）に示すように傾きの無い状態になったとすれば、係止部材３を片側にずれた線状材挿通孔１０１に嵌合したとき、器具本体１の重心が移動して図３（ｂ）または図３（ｃ）の傾いた状態になるので、吊下げ式照明器具の設置状態に応じて、係止部材３を嵌合させる線状材挿通孔１０１を選択することにより、器具本体１を傾きの無い状態で吊り下げることが可能となる。つまり、器具本体１が傾いた場合、器具本体１の中心より傾き方向にある線状材挿通孔１０１に係止部材３を嵌合すれば、線状材２が筐体１０の幅方向に１本であっても、傾きの無い状態に調整することができる。この機構は、幅方向が短く重心位置が傾きやすい照明器具に有用である。
【００２５】
また、器具本体１に係止部材挿通孔１０４を設けることにより、天井から吊り下げられた線状材２の下端の係止部材３をその係止部材挿通孔１０４に挿通し、これに連通する線状材挿通孔１０１に係止することができるので、吊下げ式照明器具を天井から吊り下げた状態にするまでの作業性が非常に良くなる。
【００２６】
さらに、複数の線状材挿通孔１０１をこれらよりも小さいスリット１０２で連通することにより、球状の係止部材３が傾きの調整時に選択した線状材挿通孔１０１に嵌合するようになるので、調整した傾きの状態を保持することができる。
【００２７】
なお、第１実施形態では、係止部材は、球状になっているが、これに限らず、例えば上に凸の半球状でもよい。この構造でも、調整した傾きの状態を保持することができる。
【００２８】
また、第１実施形態では、複数の線状材挿通孔１０１および係止部材挿通孔１０４は、スリット１０２，１０３を介して互いに連通する構造になっているが、これに限らず、複数の線状材挿通孔１０１の各一部が重なり合うことで連通し、これら複数の線状材挿通孔１０１の端と係止部材挿通孔１０４の一部が重なり合うことで連通する構造でもよい。
【００２９】
（第２実施形態）
図４は本発明に係る第２実施形態の吊下げ式照明器具の一部を示す斜視図、図５は同吊下げ式照明器具の傾き調整の説明図である。
【００３０】
第２実施形態の吊下げ式照明器具は、図４に示すように、線状材２と、係止部材３（図では後述の板材４で隠れている）とを第１実施形態と同様に備えているほか、第１実施形態との相違点として、放電灯収納用の器具本体１Ａと、この器具本体１Ａの内部に収納される板材４とを備えている。
【００３１】
器具本体１Ａは、第１実施形態の器具本体１との相違点として、筐体１０に代えて筐体１０Ａを備えている。天井と対向する筐体１０Ａの壁面１００Ａの中心には、係止部材３よりも大きく板材４よりも小さい円状の係止部材挿通孔１０４Ａが設けられている。
【００３２】
他方、板材４には、係止部材３よりも小さい円状の線状材挿通孔４１と、この線状材挿通孔４１とこれよりも小さいスリット４２を介して互いに連通した状態で係止部材３よりも大きい円状の係止部材挿通孔４３とが設けられている。
【００３３】
このように筐体１０Ａに係止部材挿通孔１０４Ａを設けるとともに、線状材挿通孔４１、スリット４２および係止部材挿通孔４３が形成された板材４を設けることにより、天井から吊り下げられた線状材２の下端の係止部材３を係止部材挿通孔１０４Ａ，４３に挿通し、係止部材３を線状材挿通孔４１に係止することができるので、図５（ａ）に示すように、吊下げ式照明器具を天井から吊り下げた状態にするまでの作業性が非常に良くなる。
【００３４】
また、図５（ｂ）に示すように、線状材挿通孔４１の中心が係止部材挿通孔１０４Ａの中心と一致したときに、器具本体１Ａが傾きの無い状態になったとすれば、図５（ｃ），（ｄ）に示すように、線状材挿通孔４１の中心を係止部材挿通孔１０４Ａの中心からずらせたとき、器具本体１Ａが重心の移動で傾いた状態になるので、吊下げ式照明器具の設置状態に応じて、無段階で、器具本体１Ａを傾きの無い状態で吊り下げることが可能となる。
【００３５】
また、図５（ｂ）〜（ｄ）に示す位置関係にある場合、係止部材３が係止部材挿通孔４３から抜けるのを防止することができ、抜止め防止用部材を別に設ける必要がなくなる。
【００３６】
さらに、筐体１０Ａの壁面１００Ａの中心に係止部材挿通孔１０４Ａを設けることにより、従来から使用されている図６に示すようなパイプ５を係止部材挿通孔１０４Ａに挿通することができるので、複数種類の吊具で器具本体１Ａを吊り下げることができる。
【００３７】
（第３実施形態）
図７は本発明に係る第３実施形態の吊下げ式照明器具の一部を示す斜視図である。
【００３８】
第３実施形態の吊下げ式照明器具は、図７に示すように、線状材２と、係止部材３（図では後述の板材４Ａで隠れている）とを第２実施形態と同様に備えているほか、第２実施形態との相違点として、放電灯収納用の器具本体１Ｂと、この器具本体１Ｂの内部に収納される板材４Ａとを備えている。
【００３９】
器具本体１Ｂは、第２実施形態の器具本体１Ａとの相違点として、筐体１０Ａに代えて筐体１０Ｂを備えている。この筐体１０Ｂの壁面１００Ｂには、係止部材挿通孔１０４Ａが筐体１０Ａと同様に設けられているほか、係止部材挿通孔１０４Ａと筐体１０Ｂの幅方向における一の縁部との間に、筐体１０Ｂの幅方向に伸びる長円状のねじ挿通孔１０５がさらに設けられている。
【００４０】
他方、板材４Ａには、第２実施形態の板材４との相違点として、ねじ挿通孔１０５に対応するねじ孔４４がさらに設けられている。
【００４１】
このように長円状のねじ挿通孔１０５を筐体１０Ｂにさらに設けるとともに、ねじ孔４４を板材４Ａにさらに設けることにより、ねじ挿通孔１０５にねじ６の足部を挿通してねじ孔４４に螺着すれば、板材４Ａを筐体１０Ｂにねじ止めすることができ、無段階で調整した傾きの状態を保持することができる。また、ねじ挿通孔１０５を長円状にすることで、ねじ挿通孔１０５およびねじ孔４４を一対設けるだけで、板材４Ａを傾き調整可能にスライド自在とすることができる。
【００４２】
（第４実施形態）
図８は本発明に係る第４実施形態の吊下げ式照明器具の一部を示す斜視図である。
【００４３】
第４実施形態の吊下げ式照明器具は、図８に示すように、線状材２と、係止部材３（図では後述の板材４Ｂで隠れている）とを第３実施形態と同様に備えているほか、第３実施形態との相違点として、放電灯収納用の器具本体１Ｃと、この器具本体１Ｃの内部に収納される板材４Ｂとを備えている。
【００４４】
器具本体１Ｃは、第３実施形態の器具本体１Ｂとの相違点として、筐体１０Ｂに代えて筐体１０Ｃを備えている。この筐体１０Ｃの壁面１００Ｃには、係止部材挿通孔１０４Ａおよびねじ挿通孔１０５が筐体１０Ｂと同様に設けられているほか、係止部材挿通孔１０４Ａを挟んでねじ挿通孔１０５と対向する位置に、矩形状の挿入孔１０６がさらに設けられている。
【００４５】
他方、板材４Ｂには、第３実施形態の板材４Ａとの相違点として、線状材挿通孔４１、スリット４２および係止部材挿通孔４３を挟んでねじ孔４４と対向する縁部に、上記挿入孔１０６に挿入される回転防止爪４５が突設されている。この回転防止爪４５の幅方向の寸法は、挿入孔１０６の長手方向の寸法よりも若干小さめに設定される。
【００４６】
このように挿入孔１０６を筐体１０Ｃにさらに設けるとともに、回転防止爪４５を板材４Ｂにさらに設けることにより、板材４Ｂを筐体１０Ｃにねじ止めする際に、筐体１０Ｃに対して板材４Ｂが回転するのを防止することができ、板材４Ｂの筐体１０Ｃへの固定作業が容易となる。
【００４７】
（第５実施形態）
図９は本発明に係る第５実施形態の吊下げ式照明器具の一部を示す斜視図、図１０は同吊下げ式照明器具の線状材および板材を示す斜視図である。
【００４８】
第５実施形態の吊下げ式照明器具は、器具本体１Ｂと、線状材２と、係止部材３とを第３実施形態と同様に備えているほか、第３実施形態との相違点として、図９に示すように、器具本体１Ｂの内部に収納される板材４Ｃを備えている。
【００４９】
板材４Ｃは、第３実施形態の板材４Ａとの相違点として、図１０に示すように、線状材挿通孔４１の位置で上に凸のく字状に屈曲し、このく字状の当該板材部分で筐体１０Ｂの壁面１００Ｂに設けられた係止部材挿通孔１０４Ａに填り込む構造になっている。
【００５０】
ただし、器具本体１Ｂの筐体１０Ｂに設けられる係止部材挿通孔１０４Ａは、図９（ａ）に示すように角状に形成される。また、板材４Ｃのく字状の部分は、その他の部分よりも寸法が短くなっている。
【００５１】
このようにく字状の板材部分を筐体１０Ｂの角状の係止部材挿通孔１０４Ａに填り込む構造にすることにより、位置決めが容易となるとともに、筐体１０Ｂに対して板材４Ｃが回転するのを防止することができ（スライドしすぎの防止およびがたつき低減も可能）、板材４Ｃの筐体１０Ｂへの固定作業が容易となる。また、係止部材３がく字状の板材部分で強固に保持されるようになる。
【００５２】
（第６実施形態）
図１１は本発明に係る第６実施形態の吊下げ式照明器具の一部を示す斜視図、図１２は同吊下げ式照明器具の線状材および板材を示す斜視図である。
【００５３】
第６実施形態の吊下げ式照明器具は、器具本体１Ｂと、線状材２と、係止部材３とを第３実施形態と同様に備えているほか、第３実施形態との相違点として、図１１に示すように、器具本体１Ｂの内部に収納される板材４Ｄを備えている。
【００５４】
ただし、器具本体１Ｂの筐体１０Ｂに設けられる係止部材挿通孔１０４Ａは、図１１（ａ）に示すように角状に形成される。
【００５５】
板材４Ｄは、第３実施形態の板材４Ａとの相違点として、図１２に示すように、線状材挿通孔４１の位置で上に凸のＵ字状に屈曲し、このＵ字状の当該板材部分で筐体１０Ｂの壁面１００Ｂに設けられた角状の係止部材挿通孔１０４Ａに填り込む構造になっている。
【００５６】
このようにＵ字状の板材部分を筐体１０Ｂの角状の係止部材挿通孔１０４Ａに填り込む構造にすることにより、位置決めが容易となるとともに、筐体１０Ｂに対して板材４Ｄが回転するのを防止することができ、板材４Ｄの筐体１０Ｂへの固定作業が容易となる。また、係止部材３がＵ字状の板材部分で強固に保持されるようになる。さらに、Ｕ字状の屈曲部分に指先を引っ掛けて板材４Ａをスライドさせることができるので、施工時に線状材２に張力がかかっている場合でもそれを容易にスライドすることができる。
【００５７】
なお、上記各実施形態では、器具本体をこの筐体部分で傾き調整可能に天井から吊り下げる構成になっているが、これに限らず、図１３に示すように、器具本体１Ｄを他の器具本体１Ｄに連結する場合、上記各実施形態と同様に、器具本体１Ｄを傾き調整可能に天井から吊り下げる機構を、両器具本体１Ｄを連結するための連結吊金具に持たせるようにしてもよい。
【００５８】
例えば、図１４に示すように、第６実施形態と同様に、天井と対向する連結吊金具７の壁面７０の中心に、係止部材３よりも大きく板材４Ｄよりも小さい角状の係止部材挿通孔７１および長円状のねじ挿通孔７２を設ければ、第６実施形態と同様の効果が得られる。なお、図１３中の７３は、器具本体１Ｄのねじ挿入孔１０７に挿入されたねじ８を螺着するためのねじ孔である。
【００５９】
あるいは、第１実施形態と同様に、天井と対向する連結吊金具の壁面に、この壁面の中心を当該連結吊金具に連結された器具本体の重心が移動する方向へ横切るように、係止部材３よりも小さい線状材挿通孔を互いに連通した状態で複数設けるとともに、これら複数の線状材挿通孔と互いに連通した状態で係止部材よりも大きい係止部材挿通孔を設ければ、第１実施形態と同様の効果を得ることができる。
【００６０】
【発明の効果】
以上のことから明らかなように、請求項１記載の発明は、放電灯点灯用であってこれを筐体内に収納する器具本体と、天井から吊下げられる少なくとも１本の可撓性の線状材と、この線状材の下端に連結される係止部材とを備え、前記天井と対向する前記筐体の壁面には、この壁面の中心を当該器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられているので、天井から吊り下げられた線状材の下端の係止部材を、係止部材挿通孔に挿通し、吊下げ式照明器具の設置状態に応じて、複数の線状材挿通孔のいずれかに嵌合することにより、容易に器具本体を傾きの無い状態で吊り下げることが可能となる。
【００６１】
請求項２記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記筐体内に収納される板材とを備え、前記天井と対向する前記筐体の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられているので、天井から吊り下げられた線状材の下端の係止部材を、筐体の係止部材挿通孔および板材の係止部材挿通孔に挿通し、板材の線状材挿通孔に係止することができ、容易に器具本体を傾きの無い状態で吊り下げることが可能となる。
【００６２】
請求項３記載の発明は、請求項２記載の吊下げ式照明器具において、前記板材は、前記線状材挿通孔の位置でく字状に屈曲し、このく字状の当該板材部分で前記筐体の壁面に設けられた係止部材挿通孔に填り込むので、筐体に対して板材が回転するのを防止することができるほか、係止部材をく字状の板材部分で強固に保持することができる。
【００６３】
請求項４記載の発明は、請求項２記載の吊下げ式照明器具において、前記板材は、前記線状材挿通孔の位置でＵ字状に屈曲し、このＵ字状の当該板材部分で前記筐体の壁面に設けられた係止部材挿通孔に填り込むので、筐体に対して板材が回転するのを防止することができるほか、係止部材をＵ字状の板材部分で強固に保持することができる。
【００６４】
請求項５記載の発明は、請求項２から４のいずれかに記載の吊下げ式照明器具において、前記筐体の壁面には少なくとも１つのねじ挿通孔が穿設されている一方、前記板材には前記ねじ挿通孔に対応するねじ孔が穿設され、前記板材は、前記ねじ挿通孔にねじを挿通して前記ねじ孔で螺着することにより前記筐体にねじ止めされるので、調整した傾きの状態を強固に保持することができる。
【００６５】
請求項６記載の発明は、請求項５記載の吊下げ式照明器具において、前記ねじ挿通孔は長円状に形成されているので、板材を傾き調整可能にスライド自在とすることができる。
【００６６】
請求項７記載の発明は、請求項１から６のいずれかに記載の吊下げ式照明器具において、前記放電灯は直管形の蛍光灯であり、前記筐体は、前記放電灯の軸方向に沿って伸びる形状に形成されているのであり、この構成でも、容易に器具本体を傾きの無い状態で吊り下げることが可能となる。
【００６７】
請求項８記載の発明は、請求項７記載の吊下げ式照明器具において、前記線状材は、前記筐体の幅方向に各１本設けられ、前記筐体の軸方向に複数本設けられるので、容易にしかも見栄え良く器具本体を傾きの無い状態で吊り下げることが可能となる。
【００６８】
請求項９記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記器具本体を他の器具本体に連結するための連結吊部材とを備え、前記天井と対向する前記連結吊部材の壁面には、この壁面の中心を当該連結吊部材に連結された器具本体の重心が移動する方向へ横切るように、前記係止部材よりも小さい線状材挿通孔が互いに連通した状態で複数設けられているとともに、これら線状材挿通孔と互いに連通した状態で前記係止部材よりも大きい係止部材挿通孔が設けられているので、容易に器具本体を傾きの無い状態で吊り下げることが可能となる。
【００６９】
請求項１０記載の発明の吊下げ式照明器具は、放電灯点灯用であってこれを筐体内に収納する器具本体と、天井から吊下げられる少なくとも１本の可撓性の線状材と、この線状材の下端に連結される係止部材と、前記筐体内に収納される板材と、前記器具本体を他の器具本体に連結するための連結吊部材とを備え、前記天井と対向する前記連結吊部材の壁面の中心には、前記係止部材よりも大きく前記板材よりも小さい係止部材挿通孔が設けられ、前記板材には、前記係止部材よりも小さい線状材挿通孔と、この線状材挿通孔と互いに連通した状態で前記係止部材よりも大きい係止部材挿通孔とが設けられているので、容易に器具本体を傾きの無い状態で吊り下げることが可能となる。
【図面の簡単な説明】
【図１】本発明に係る第１実施形態の吊下げ式照明器具の一部を示す斜視図である。
【図２】同吊下げ式照明器具の線状材および係止部材を示す図である。
【図３】同吊下げ式照明器具の傾き調整の説明図である。
【図４】本発明に係る第２実施形態の吊下げ式照明器具の一部を示す斜視図である。
【図５】同吊下げ式照明器具の傾き調整の説明図である。
【図６】同吊下げ式照明器具を別の吊具で吊り下げた様子を示す図である。
【図７】本発明に係る第３実施形態の吊下げ式照明器具の一部を示す斜視図である。
【図８】本発明に係る第４実施形態の吊下げ式照明器具の一部を示す斜視図である。
【図９】本発明に係る第５実施形態の吊下げ式照明器具の一部を示す斜視図である。
【図１０】同吊下げ式照明器具の線状材および板材を示す斜視図である。
【図１１】本発明に係る第６実施形態の吊下げ式照明器具の一部を示す斜視図である。
【図１２】同吊下げ式照明器具の線状材および板材を示す斜視図である。
【図１３】複数の吊下げ式照明器具を連結吊金具で連結した様子を示す図である。
【図１４】連結吊金具に第６実施形態の筐体と同様の傾き調整機構を設けた例を示す図である。
【図１５】従来の吊下げ式照明器具の外観図である。
【図１６】同吊下げ式照明器具の一部拡大図である。
【図１７】同吊下げ式照明器具の傾き調整の説明図である。
【図１８】別の従来の吊下げ式照明器具の傾き調整を説明するための図である。
【図１９】別の従来の吊下げ式照明器具の傾き調整を説明するための図である。
【符号の説明】
１，１Ａ，１Ｂ，１Ｃ，１Ｄ　器具本体
１０，１０Ａ，１０Ｂ，１０Ｃ　筐体
１００，１００Ａ，１００Ｂ，１００Ｃ　壁面
１０１　線状材挿通孔
１０２，１０３　スリット
１０４，１０４Ａ　係止部材挿通孔
１０５　ねじ挿通孔
１０６　挿入孔
１１　蛍光灯
２　線状材
３　係止部材
４，４Ａ，４Ｂ，４Ｃ，４Ｄ　板材
４１　線状材挿通孔
４２　スリット
４３　係止部材挿通孔
４４　ねじ孔
７　連結吊金具
７１　係止部材挿通孔
７２　ねじ挿通孔
【図１】
2004055305.tif 000003
【図２】
2004055305.tif 000004
【図３】
2004055305.tif 000005
【図４】
2004055305.tif 000006
【図５】
2004055305.tif 000007
【図６】
2004055305.tif 000008
【図７】
2004055305.tif 000009
【図８】
2004055305.tif 000010
【図９】
2004055305.tif 000011
【図１０】
2004055305.tif 000012
【図１１】
2004055305.tif 000013
【図１２】
2004055305.tif 000014
【図１３】
2004055305.tif 000015
【図１４】
2004055305.tif 000016
【図１５】
2004055305.tif 000017
【図１６】
2004055305.tif 000018
【図１７】
2004055305.tif 000019
【図１８】
2004055305.tif 000020
【図１９】
2004055305.tif 000021